(57)【要約】【課題】  インクジェットヘッドが有する吐出周波数に依存したインク滴の体積変動を均一化し、吐出周波数の変化すなわち印字対象物の移動速度の変化が生じても均一な印字濃度が得られるインクジェットプリンタ装置を提供する。【解決手段】  インクジェットヘッド１０１と、印字対象物の移動距離に従って所定数の吐出トリガパルスを発生する吐出トリガパルス発生装置２０と、吐出トリガパルスを計数する周波数計数回路１０２と、制御回路１０３と、制御回路から参照される周波数対駆動電圧テーブル１０４と、制御回路によって制御される可変電圧電源回路１０５とを設け、印字対象物の移動速度が変化し吐出周波数が変化した場合、吐出周波数の変化に応じて補正されたヘッド駆動電圧１０ｄがインクジェットヘッドへ供給され、印字対象物の移動速度が変化した場合でも均一な印字濃度を得るようにした。【選択図】  図１
2006239861.tif 000002
【特許請求の範囲】
【請求項１】
被記録媒体に記録を行なうインクジェットヘッドと、前記被記録媒体の移動距離に従って所定数の吐出トリガパルスを発生する吐出トリガパルス発生装置と、前記インクジェットヘッドを駆動する可変電圧電源回路と、からなるインクジェットプリンタ装置において、前記吐出トリガパルス発生装置から出力した吐出トリガパルスの周波数に応じて、前記可変電圧電源回路から出力するヘッド駆動電圧を補正する、ヘッド駆動電圧補正手段を設けたことを特徴とする、インクジェットプリンタ装置
【請求項２】
被記録媒体に記録を行なうインクジェットヘッドと、前記被記録媒体の移動距離に従って所定数の吐出トリガパルスを発生する吐出トリガパルス発生装置と、前記吐出トリガパルスを計数する周波数計数回路と、前記インクジェットヘッドを駆動する可変電圧電源回路と、前記可変電圧電源回路を制御する制御回路と、前記制御回路から参照される周波数対駆動電圧テーブルとを設け、
前記吐出トリガパルス発生装置は前記インクジェットヘッド及び前記周波数計数回路へ吐出トリガパルスを出力し、前記周波数計数回路は前記吐出トリガパルス発生装置から入力された前記吐出トリガパルスの周波数を計数するとともに前記制御回路へ吐出トリガ周波数データを出力し、前記制御回路は前記周波数計数回路から入力された前記吐出トリガパルス周波数データに対応する駆動電圧を前記周波数対駆動電圧テーブルから参照するとともに前記可変電圧電源回路へ駆動電圧制御信号を出力することを特徴とするインクジェットプリンタ装置。
【発明の詳細な説明】
【技術分野】
【０００１】
本発明は、圧電駆動型インクジェットヘッドの制御方法、及び該制御方法を用いたインクジェットプリンタ装置に関する。
【背景技術】
【０００２】
本発明の技術分野における従来技術として、例えば図４に示すようなインクジェットプリンタ装置がある。
【０００３】
図４において、インクジェットヘッド１０１は圧電駆動型インクジェットヘッドであり、インク貯留容器３０からインク供給路１０ｆを通じてインクジェットヘッド１０１へインクが供給される。
印字データ発生回路４０は印字対象物６０に印字する印字データ信号１０ｅを発生し、インクジェットヘッド１０１へ出力する。
吐出トリガパルス発生装置２０は例えば回転角度に応じて所定の電気パルスを発生するセンサであり、印字対象物６０の移動距離に応じて所定数の吐出トリガパルス１０ａを発生し、インクジェットヘッド１０１へ出力する。
【０００４】
インクジェットヘッド１０１は入力された印字データ信号１０ｅに基づく印字パターン、さらに吐出トリガパルス１０ａに同期した吐出間隔でインク滴５０の吐出を行い、印字対象物６０上に所定の画像を印字する。
【０００５】
電源回路１１５はインクジェットヘッド１０１に内蔵する圧電素子を駆動する駆動電圧源であり、ヘッド駆動電圧１０ｄをインクジェットヘッド１０１に出力する。
【０００６】
このようなインクジェットプリンタ装置において、吐出特性を安定させ均一に保つ方法の一例として、前述の電源回路１１５を可変電圧源とし、周囲の環境温度の変化に応じて駆動電圧１０ｄを変化させ吐出特性を補正する構成とした装置が特許文献１に開示されている。
【特許文献１】特開平０７−１４８９２０号公報（１１頁、図５）
【発明の開示】
【発明が解決しようとする課題】
【０００７】
以上に述べた従来のインクジェットプリンタ装置においては、印字中に印字対象物の移動速度が変化して吐出周波数に変化が生じた場合、インクジェットヘッドが吐出するインク滴の体積が吐出周波数に応じて変動してしまい、印字濃度にムラができ印字品質が低下するという問題点があった。
【０００８】
本発明の目的は、このような従来のインクジェットヘッドが有する吐出周波数に依存したインク滴の体積変動を均一化し、吐出周波数の変化すなわち印字対象物の移動速度の変化が生じても均一な印字濃度が得られるインクジェットプリンタ装置を提供することにある。
【課題を解決するための手段】
【０００９】
本発明は上記目的を達成するために、インクジェットヘッドと、印字対象物の移動距離に従って所定周波数の吐出トリガパルスを発生する吐出トリガパルス発生装置と、吐出トリガパルスを計数する周波数計数回路と、制御回路と、制御回路から参照される周波数対駆動電圧テーブルと、制御回路によって制御される可変電圧電源回路とを設け、
前記吐出トリガパルス発生装置は前記インクジェットヘッド及び前記周波数計数回路へ吐出トリガパルスを出力し、前記周波数計数回路は前記吐出トリガパルス発生装置から入力された吐出トリガパルスの周波数を計数するとともに前記制御回路へ吐出トリガ周波数データを出力し、前記制御回路は前記周波数計数回路から入力された吐出トリガパルス周波数データに対応する駆動電圧を前記周波数対駆動電圧テーブルから参照するとともに前記可変電圧電源回路へ駆動電圧制御信号を出力し、前記可変電圧電源回路は前記駆動電圧制御信号に基づき前記インクジェットヘッドに対してヘッド駆動電圧を出力するようにした。
【００１０】
このような構成によれば、印字対象物の移動速度が変化し吐出周波数が変化した場合、吐出周波数の変化に応じて補正されたヘッド駆動電圧がインクジェットヘッドへ供給され、印字対象物の移動速度が変化した場合でも均一な印字濃度を得ることができる。
【発明の効果】
【００１１】
上述したように、本発明はインクジェットヘッドが有する吐出周波数に依存したインク滴の体積変動を均一化し、吐出周波数の変化すなわち印字対象物の移動速度の変化が生じても均一な印字濃度が得られるインクジェットプリンタ装置の提供が可能になるという効果を有する。
【発明を実施するための最良の形態】
【００１２】
以下、本発明の実施の形態を図１に基づいて説明する。
図１において、インクジェットヘッド１０１は圧電駆動型インクジェットヘッドであり、インク貯留容器３０からインク供給路１０ｆを通じてインクジェットヘッド１０１へインクが供給される。
印字データ発生回路４０は印字データ信号１０ｅを発生し、インクジェットヘッド１０１へ出力する。
吐出トリガパルス発生装置２０は吐出トリガパルス１０ａを発生し、インクジェットヘッド１０１及び周波数計数回路１０２へ出力する。
周波数計数回路１０２は吐出トリガパルス発生装置２０から出力された吐出トリガパルス１０ａを計数し、吐出トリガ周波数データ１０ｂを制御回路１０３へ出力する。
制御回路１０３は吐出トリガ周波数データ１０ｂに基づき周波数対駆動電圧テーブル１０４を参照し、駆動電圧制御信号１０ｃを可変電圧電源回路１０５へ出力する。
可変電圧電源回路１０５は駆動電圧制御信号１０ｃに従ってヘッド駆動電圧１０ｄをインクジェットヘッド１０１へ出力する。
インクジェットヘッド１０１は入力された印字データ信号１０ｅに基づく印字パターン、ヘッド駆動電圧１０ｄに基づくインク滴体積、吐出トリガパルス１０ａに同期した吐出間隔でインク滴５０の吐出を行い、印字対象物６０上に所定の画像を印字する。
【実施例１】
【００１３】
図１〜図３に基づき本発明の実施例を説明する。
図１において、吐出トリガパルス発生装置２０は例えばロータリーエンコーダ等のパルス発生デバイスであり、搬送装置７０に機械的に結合され印字対象物６０の移動距離に従って所定の間隔で吐出トリガパルス１０ａを発生する。インクジェットヘッド１０１はこの吐出トリガパルス１０ａに従ってインク滴５０を吐出するため、印字対象物６０の移動速度が変化しても印字のドット間隔は一定に保たれ、常に正常な印字画像が得られるようになっている。
【００１４】
一方、吐出トリガパルス１０ａは周波数計数回路１０２にも同時に入力され、例えば０．１秒毎の周波数がサンプリングされ、吐出パルス周波数データ１０ｂとして制御回路１０３へ出力される。制御回路１０３はこの吐出パルス周波数データ１０ｂに対応する補正されたヘッド駆動電圧１０ｄを周波数対駆動電圧テーブル１０４から参照し、駆動電圧制御信号１０ｃとして可変電圧電源回路１０５へ出力する。可変電圧電源回路１０５は駆動電圧制御信号１０ｃに基づいたヘッド駆動電圧１０ｄをインクジェットヘッド１０１へ出力する。
【００１５】
ここで、周波数対駆動電圧テーブル１０４を図２及び図３に基づき説明する。
図２はインクジェットヘッド１０１の吐出周波数に対するインク滴の体積変化の一例を示すグラフであり、図３は吐出周波数に対してインク滴の体積が所定の値一定となるようなヘッド駆動電圧を予め実験等で求めた補正駆動電圧グラフである。
図２において、インクジェットヘッドの駆動電圧を一定に保ったまま吐出周波数を例えばｆ１からｆ２までのΔｆだけ変化させた場合、吐出されるインク滴の体積はｍ１からｍ２
まで変化し、Δｍの変動量が発生する。
これに対し図３の補正駆動電圧グラフを用いて、例えば吐出周波数ｆ１の時には駆動電圧ｖ１、吐出周波数ｆ２の時には駆動電圧ｖ２というように、各吐出周波数に対して補正した駆動電圧をヘッドに与えるようにすれば、吐出周波数の変動に対してインク滴体積を所定の値一定に制御することが可能となる。図３のような補正駆動電圧グラフは例えば０．１ｋＨｚ毎の駆動電圧値としてメモリ等の記憶装置に格納され、制御回路１０３から周波数対駆動電圧テーブル１０４として参照される。
【図面の簡単な説明】
【００１６】
【図１】本発明に係るインクジェットプリンタ装置の構成図
【図２】インクジェットヘッドの周波数特性の一例を示すグラフ
【図３】本発明に係る周波数対駆動電圧テーブルの一例を示すグラフ
【図４】従来のインクジェットプリンタ装置の構成図
【符号の説明】
【００１７】
１０    本発明のインクジェットプリンタ装置
１０１  インクジェットヘッド
１０２  周波数計数回路
１０３  制御回路
１０４  周波数対駆動電圧テーブル
１０５  可変電圧電源回路
１１５  電源回路
１０ａ  吐出トリガパルス
１０ｂ  吐出トリガ周波数データ
１０ｃ  駆動電圧制御信号
１０ｄ  ヘッド駆動電圧
１０ｅ  印字データ信号
１０ｆ  インク供給路
２０    吐出トリガパルス発生装置
３０    インク貯留容器
４０    印字データ発生回路
５０    インク滴
６０    印字対象物
７０    搬送装置
【図１】
2006239861.tif 000003
【図２】
2006239861.tif 000004
【図３】
2006239861.tif 000005
【図４】
2006239861.tif 000006